(57)【要約】【課題】１種類のパイプ支持金具によって大小２種類のパイプに適合し得る、使い勝手のきわめて良好なパイプ支持金具を提供する。【解決手段】パイプの下端部を受ける円形カップ状の支持部５の中央部に、小径のパイプの内周面に係合可能な外径を有する円形断面からなる突起部８を設けるとともに、支持部５を形成する円形カップの内径を大径のパイプの外周面に係合可能な直径に設定し、それらの突起部８の外周面又は円形カップの内周面に対して、大小２種類のパイプの下端部を選択的に係合させることにより安定的に支持する。【選択図】図１
2010112050.tif 000002
【特許請求の範囲】
【請求項１】
パイプの下端部を受ける円形カップ状の支持部の中央部に、小径のパイプの内周面に係合可能な外径を有する円形断面からなる突起部を設けるとともに、前記支持部を形成する円形カップの内径を大径のパイプの外周面に係合可能な直径に設定し、それらの突起部の外周面又は円形カップの内周面に対して、大小２種類のパイプの下端部を選択的に係合させることにより安定的に支持し得るように構成したことを特徴とするパイプ支持金具。
【発明の詳細な説明】
【技術分野】
【０００１】
本発明は、耐圧版やベタ基礎へのコンクリート打設用の足場の支柱や、寒冷地における雪養生用などの支柱として使用されるパイプの下端部を支持するためのパイプ支持金具に関する。
【背景技術】
【０００２】
この種のパイプ支持金具に関しては、高さ調整可能に構成された支持軸部の上端部に円形カップ状の支持部を設け、その円形カップ状の支持部に対して足場パイプの下端部を嵌入して支持する足場用のパイプ支持金具が従来から知られている（特許文献１）。ところで、この種の足場パイプは、一般的にその使用形態に応じて、例えば外径が４２．７ｍｍの小径タイプの鋼管や、外径が４８．６ｍｍの大径タイプの鋼管が広く使用されている。したがって、従来のパイプ支持金具の場合には、それらの足場パイプの外径に適合し得る複数種類のパイプ支持金具を用意しておき、使用する足場パイプの外径に応じてパイプ支持金具を選択的に使用する必要があった。
【特許文献１】実公平１−９８８４号公報
【発明の開示】
【発明が解決しようとする課題】
【０００３】
本発明は、以上のような従来の技術的状況に鑑み、１種類のパイプ支持金具によって大小２種類のパイプに適合し得る、使い勝手のきわめて良好なパイプ支持金具を提供することを目的とするものである。
【課題を解決するための手段】
【０００４】
前記課題を解決するため、本発明に係るパイプ支持金具では、パイプの下端部を受ける円形カップ状の支持部の中央部に、小径のパイプの内周面に係合可能な外径を有する円形断面からなる突起部を設けるとともに、前記支持部を形成する円形カップの内径を大径のパイプの外周面に係合可能な直径に設定し、それらの突起部の外周面又は円形カップの内周面に対して、大小２種類のパイプの下端部を選択的に係合させることにより安定的に支持し得るように構成したことを特徴とする。
【発明の効果】
【０００５】
本発明によれば、次の効果を得ることができる。
（１）円形カップ状の支持部の中央部に小径の円形断面からなる突起部を設けるという簡単な構成によって、その小径の円形断面からなる突起部の外周面あるいは円形カップ状の支持部の内周面に対して大小２種類のパイプの下端部を選択的に係合させることにより、２種類のパイプを簡便かつ安定的に支持することができる。
（２）円形カップ状の支持部と中央部の突起部とを一体的に形成することにより、その突起部のリブ的効果によって支持部全体を強化することが可能であり、延いてはパイプに対するより的確な支持が可能である。
【発明を実施するための最良の形態】
【０００６】
本発明は、耐圧版やベタ基礎へのコンクリート打設用足場の支柱や、寒冷地における雪養生のための支柱などの支持に使用されるパイプ支持金具として広く適用することができる。前記円形カップ状の支持部の内周部の直径や、その支持部の中央部に設ける円形断面からなる突起部の外周面の直径の大きさは、使用する大小２種類のパイプの外径あるいは内径の大きさに応じて適宜設定することが可能である。なお、円形カップ状の支持部と中央部の突起部とを一体的に形成すれば、その突起部のリブ的効果によって支持部全体の強化が可能であり、延いてはパイプに対するより的確な支持が可能で、支持部の薄肉軽量化にも有効である。
【実施例】
【０００７】
図１は本発明の一実施例の全体を示した片側断面図である。図中、１は中空状の支持金具本体であり、下部には取付板２を備えており、その取付板２に形成した挿通孔を介して釘等の固定手段によって捨コンクリートなどの上面に固定できるように構成されている。この支持金具本体１の上部には小径部３が形成され、その内周面には雌ねじが形成されており、棒状の支持軸部４がその外周面に形成した雄ねじを前記小径部３の雌ねじに対して螺合することにより、高さ調整可能に支持されている。前記支持軸部４の上端部には円形カップ状の支持部５が固定されており、この円形カップ状の支持部５によってパイプの下端部を係合支持するように構成されている。なお、図中、６は支持軸部４に螺合したロック用ナット、７は止水材を示したものである。
【０００８】
図２は円形カップ状からなる前記支持部５を拡大して示した断面図である。図示のように、円形カップ状の支持部５の中央部には、小径のパイプの内周面に係合可能な外径を有する円形断面からなる突起部８が形成されている。そして、その突起部８の外周面に対して小径のパイプ９の下端部内周面を係合させることによって小径パイプを安定的に支持する支持形態、あるいは前記支持部５を形成する円形カップの内周面に対して大径のパイプ１０の下端部外周面を係合させることによって大径パイプを安定的に支持する支持形態のいずれかを選択することにより、大小２種類のパイプ９，１０を選択的かつ安定的に支持し得るように構成した点で特徴を有している。なお、本実施例に係る支持部５では、その側面の対向した位置に回転工具挿通用の２個の貫通孔１１を設けている。
【０００９】
図３は円形カップ状の前記支持部５を低く調整した場合を示した片側断面図である。図示のように、本実施例では、円形カップ状の支持部５の高さを設置場所の形態に応じて図１や図３のように高さを調整することができる。その高さ調整は、ロック用ナット６を弛めた上、前記支持軸部４を回転して支持部５の高さを所期の高さに調整し、しかる後ロック用ナット６を支持金具本体１の上部に形成した小径部３の上端面に対して締付固定することによって可能である。
【００１０】
次に、本発明に係るパイプ支持金具を適用する場合の施工手順に関して説明する。図４〜図６は円形カップ状の支持部５をコンクリート中に埋設したまま残す場合の施工手順の要点を示した作業説明図である。本例の場合には、図４に示したように、先ず支持金具本体１の下部に設けた取付板２を介して目的のパイプ支持金具を捨コンクリート１２などの所定位置に固定する。しかる後、選択した小径あるいは大径のパイプの下端部を円形カップ状の支持部５に係合支持して足場パイプなどとして使用し（図面では大径のパイプ１０を選択した場合を例示した。以下、同じ。）、適宜のタイミングで所期のコンクリート１３を打設する。その後、図５及び図６に示したように、使用したパイプ１０を支持部５から外して、その支持部５の内部にモルタル１４等を充填することにより本作業が終了する。因みに、本例の場合には、コンクリート１３の打設面の高さに応じて円形カップ状の支持部５の上端面の高さを一致するように予め調整しておくことになる。
【００１１】
図７及び図８は円形カップ状の支持部５をコンクリート中に埋設せずに回収して再使用する場合の作業手順の要点を示した作業説明図である。本例の場合においても、支持金具本体１の下部に設けた取付板２を介して目的のパイプ支持金具を捨コンクリート１２などの所定位置に固定し、しかる後、選択した小径あるいは大径のパイプの下端部を円形カップ状の支持部５に係合支持して足場パイプなどとして使用して、適宜のタイミングで所期のコンクリート１５を打設する点では、前記施工例と同様である。ただ異なるところは、図７に示したように、円形カップ状の支持部５の高さをコンクリート１５の打設面より上方に露出する高さに予め調整しておく点である。そして、本例の場合には、コンクリート１５の打設作業の終了後、図８に示したように、支持軸部４を回転してその外周面に形成した雄ねじを前記小径部３の雌ねじから外して引抜くことにより、円形カップ状の支持部５を回収して再使用することになる。この場合、止水材７をロックナット６の近傍まで下げ、その上方の支持軸部４に対してプラスチックチューブ等の養生カバーを予め被覆しておけば、取外しが容易になる。因みに、ロック用ナット６による締付け状態は、この取外しの際の支持軸部４の回転を許容する程度のものとすることはいうまでもない。しかして、その後残った空間部にモルタル１６等を充填することにより本作業が終了する。
【図面の簡単な説明】
【００１２】
【図１】本発明の一実施例の全体を示した片側断面図である。
【図２】円形カップ状からなる支持部を拡大して示した断面図である。
【図３】同支持部を低く調整した場合を示した片側断面図である。
【図４】施工手順の要点を示した作業説明図である。
【図５】施工手順の要点を示した作業説明図である。
【図６】施工手順の要点を示した作業説明図である。
【図７】施工手順の要点を示した作業説明図である。
【図８】施工手順の要点を示した作業説明図である。
【符号の説明】
【００１３】
１：支持金具本体、２：取付板、３：小径部、４：支持軸部、５：支持部、６：ロック用ナット、７：止水材、８：突起部、９，１０：パイプ、１１：貫通孔、１２：捨コンクリート、１３：コンクリート、１４：モルタル、１５：コンクリート、１６：モルタル
【図１】
2010112050.tif 000003
【図２】
2010112050.tif 000004
【図３】
2010112050.tif 000005
【図４】
2010112050.tif 000006
【図５】
2010112050.tif 000007
【図６】
2010112050.tif 000008
【図７】
2010112050.tif 000009
【図８】
2010112050.tif 000010